(57)【要約】【課題】  リンクプレートの強度を低下させることなく、ピン孔に十分な潤滑油を導入・保持できるサイレントチェーン用リンクプレートを提供する。【解決手段】  一対の歯部２２およびピン孔２１を有する多数のリンクプレート２を厚み方向および長手方向に積層し、これらを連結ピン３で各々枢支可能に連結することにより構成されるサイレントチェーン１のためのリンクプレート２を提供する。この場合において、リンクプレート２の外側面または内側面の少なくともいずれか一方の面において、歯部２２の領域にのみ、歯先部端２２Ａからピン孔２１にかけて延びかつ歯先部端およびピン孔内面に開口する少なくとも一条の溝２５が形成されており、溝２５の幅は、ピン孔２１から歯先部端２２Ａに向かうにしたがい徐々に広くなっている。【選択図】  図３
2007162823.tif 000002
【特許請求の範囲】
【請求項１】
歯部およびピン孔を有する多数のリンクプレートを厚み方向および長手方向に積層してピン孔内に挿入した連結ピンで各々枢支可能に連結してなるサイレントチェーンのためのリンクプレートにおいて、
当該リンクプレートの外側面または内側面の少なくともいずれか一方の面において、歯部の領域にのみ、歯先部端からピン孔にかけて延びかつ歯先部端およびピン孔内面に開口する少なくとも一条の溝が形成されている、
ことを特徴とするサイレントチェーン用リンクプレート。
【請求項２】
請求項１において、
溝の歯先部開口端の幅がピン孔開口端の幅よりも広くなっている、
ことを特徴とするサイレントチェーン用リンクプレート。
【請求項３】
請求項２において、
溝の幅が、ピン孔から歯先部に向かうにしたがい徐々に広くなっている、
ことを特徴とするサイレントチェーン用リンクプレート。
【発明の詳細な説明】
【技術分野】
【０００１】
本発明は、サイレントチェーン用のリンクプレートに関し、とくに、リンクプレートの強度を低下させることなく、リンクプレートのピン孔に十分な潤滑油を導入・保持するための構造の改良に関する。
【背景技術】
【０００２】
自動車や自動二輪車等のタイミングチェーンとして、サイレントチェーンが用いられている。サイレントチェーンは、一般に、各々一対の歯部およびピン孔を有する多数のリンクプレートを、各ピン孔内に挿入した連結ピンで各々枢支可能に連結することにより構成されている。
【０００３】
このようなサイレントチェーンの運転時には、連結ピンおよびピン孔の摩耗を低減させる必要から、ピン孔内に十分な潤滑油が供給されなければならない。ところが、サイレントチェーンは、連結ピンの長手方向に複数枚のリンクプレートが密に重ねられた構造を有しているため、ピン孔内に十分な潤滑油が導入されにくい。
【０００４】
そこで、リンクプレートに潤滑油導入用の油溝を形成したものが従来より提案されている。実開昭５６−１０２８５０号公報に示すものでは、リンクプレートの歯先部からピン孔を通って背面部まで延びる油溝を形成している。また、実開昭５９−５４２４８号公報に示すものでは、リンクプレートの歯部の内側フランク面、外側フランク面または背面部からピン孔まで延びる油溝を形成している。
【０００５】
しかしながら、実開昭５６−１０２８５０号公報に示すものでは、リンクプレートのピン孔から背面部まで延びる油溝が形成されていることによって、サイレントチェーンの運転時には、ピン孔内の潤滑油が遠心力の作用で当該油溝を通ってリンクプレートの背面側に排出される恐れがある。そのような場合、ピン孔内に潤滑油を保持しておくのが困難になる。
【０００６】
また、実開昭５９−５４２４８号公報に示すものでは、内側フランク面および（または）外側フランク面からピン孔まで延びる油溝が形成されているが、これらの油溝の形成個所は、リンクプレートがスプロケットと噛み合う際に押付荷重が作用する個所であるとともに、ピン孔と内外側フランク面との間の肉厚が最も薄くなる個所であってリンクプレートの最弱部分である。このため、内外側フランク面に油溝を形成することにより、リンクプレートが強度不足となって、リンクプレートにクラックが発生する恐れがある。
【０００７】
また、実開昭５９−５４２４８号公報に示すものにおいて、油溝をリンクプレートのピン孔から背面部まで形成したものでは、実開昭５６−１０２８５０号公報に示すものと同様に、遠心力の作用でピン孔内の潤滑油が当該油溝を通ってリンクプレートの背面側に排出される恐れがあり、ピン孔内に潤滑油を保持しておくのが困難になる。
【特許文献１】実開昭５６−１０２８５０号公報（第５図参照）
【特許文献２】実開昭５９−５４２４８号公報（第２図および第３図参照）
【発明の開示】
【発明が解決しようとする課題】
【０００８】
本発明はこのような従来の実情に鑑みてなされたものであり、本発明が解決しようとする課題は、リンクプレートの強度を低下させることなく、ピン孔に十分な潤滑油を導入・保持できるサイレントチェーン用リンクプレートを提供する点にある。
【課題を解決するための手段】
【０００９】
請求項１の発明に係るサイレントチェーン用リンクプレートは、リンクプレートの外側面または内側面の少なくともいずれか一方の面において、歯部の領域にのみ、歯先部からピン孔にかけて延びかつ歯先部端およびピン孔内面に開口する少なくとも一条の溝を有している。
【００１０】
請求項１の発明では、潤滑油は、溝の歯先部開口端から溝に入り、歯先部内の溝を通って、ピン孔開口端からピン孔に導入される。この場合、溝が歯部の領域にのみ形成されているので、サイレントチェーンの運転時に、ピン孔内の潤滑油が遠心力の作用でリンクプレートの背面側に排出されることはない。これにより、ピン孔内に導入された潤滑油を保持できる。また、この場合、溝が歯先部端に開口しており、内外側フランク面には開口していないので、リンクプレートが強度不足となるのを防止できる。
【００１１】
請求項２の発明に係るサイレントチェーン用リンクプレートは、請求項１において、溝の歯先部開口端の幅がピン孔開口端の幅よりも広くなっている。
【００１２】
この場合には、溝の歯先部開口端の幅が広くなっていることにより、歯先部側から溝への潤滑油の導入が容易になり、潤滑油を溝内に確実に導入できるようになる。
【００１３】
請求項３の発明に係るサイレントチェーン用リンクプレートは、請求項２において、溝の幅が、ピン孔から歯先部に向かうにしたがい徐々に広くなっている。
【発明の効果】
【００１４】
本発明に係るサイレントチェーンによれば、歯部の領域にのみ、歯先部からピン孔にかけて延びかつ歯先部端およびピン孔内面に開口する少なくとも一条の溝を形成するようにしたので、リンクプレートの強度を低下させることなく、ピン孔に十分な潤滑油を導入・保持できるようになる効果がある。
【発明を実施するための最良の形態】
【００１５】
＜実施例１＞
図１および図２は本発明の第１の実施例によるサイレントチェーン用リンクプレートを説明するための図であって、図１はリンクプレートの全体斜視図、図２は図１のリンクプレートにより構成されるサイレントチェーンの底面部分図である。
【００１６】
図１に示すように、リンクプレート２は、一対のピン孔２１と、各ピン孔２１の下方に略三角形状に張り出す一対の歯部２２を有している。各歯部２２は、それぞれ内側フランク面２２ａおよび外側フランク面２２ｂから構成されている。
【００１７】
リンクプレート２の各歯部２２の外側面（表面）または内側面（裏面）には、歯先部端２２Ａからピン孔２１にかけて延びる溝２５が形成されている。溝２５は、ピン孔２１の内周面および歯先部端２２Ａの双方に開口している。また溝２５の幅は、ピン孔２１の内周面の開口端および歯先部開口端においていずれもΔとなっており、溝２２はピン孔２１から歯先部端２１Ａにかけて平行に延びている。
【００１８】
図２は、図１のリンクプレート２を厚み方向（図２上下方向）および長手方向（同図左右方向）に複数枚積層するとともに、これらのリンクプレート２をピン孔２１内に挿入した連結ピン３で各々枢支可能に連結することにより構成されたサイレントチェーンを、歯先部端２１Ａ側から見た底面部分図である。
【００１９】
図２に示すように、厚み方向に隣り合う各リンクプレート２，２からなる複数のリンクプレート対のうち、いずれかのリンクプレート対は、たとえば参照符号Ａの部分に示すように、それぞれの溝２５が対向配置されている。これにより、単一の溝２５で形成される溝深さの倍の溝深さが確保されており、溝２５の歯先部開口端からの潤滑油の導入が容易になっている。
【００２０】
サイレントチェーン１の運転時には、潤滑油は、溝２５の歯先部開口端から溝２５内に入り、歯先部２２内の溝２５を通って、ピン孔開口端からピン孔２１に導入される。
【００２１】
この場合には、溝２５を歯部２２の領域にのみ形成したので、サイレントチェーン１の運転時に、ピン孔２１内の潤滑油が遠心力の作用でリンクプレート１の背面部２３側に排出されることはない。これにより、ピン孔２１内に導入された潤滑油を保持できる。また、この場合、溝２５が歯先部端２２Ａに開口しており、内外側フランク面２２ａ，２２ｂには開口していないので、リンクプレート１が強度不足となるのを防止できる。
【００２２】
＜実施例２＞
図３および図４は本発明の第２実施例によるサイレントチェーン用リンクプレートを説明するための図であって、図３はリンクプレートの全体斜視図、図４は図３のリンクプレートにより構成されるサイレントチェーンの底面部分図である。なお、これらの図において、前記第１の実施例と同一符号は同一または相当部分を示している。
【００２３】
この第２の実施例が前記第１の実施例と異なるのは、溝２５の歯先部開口端の幅Δ２がピン孔開口端の幅Δ１よりも広くなっている点である。また、図３に示す例では、溝２５の幅が、ピン孔２１から歯先部端２２Ａに向かうにしたがい徐々に広くなっており、溝２５は扇状に形成されている。
【００２４】
この場合には、溝２５の歯先部開口端の幅Δ２が広くなっていることにより、歯先部側から溝２５への潤滑油の導入が容易になり、潤滑油を溝２５内に確実に導入できるようになる。
【００２５】
なお、前記各実施例では、溝２５がリンクプレート２の外側面または内側面のうちのいずれか一方の面に形成された例を示したが、溝２５は、外側面および内側面の双方に形成することも可能である。また、溝２５の本数は、一本に限らず、複数本設けるようにしてもよい。
【００２６】
また、前記各実施例では、一対の歯部を有するリンクプレートを例にとって説明したが、本発明は、ただ一つの歯部を有するリンクプレートにも適用できる。
【図面の簡単な説明】
【００２７】
【図１】本発明の第１の実施例によるリンクプレートの全体斜視図である。
【図２】図１のリンクプレートにより構成されるサイレントチェーンの底面部分図である。
【図３】本発明の第２の実施例によるリンクプレートの全体斜視図である。
【図４】図３のリンクプレートにより構成されるサイレントチェーンの底面部分図である。
【符号の説明】
【００２８】
１：  サイレントチェーン
２：  リンクプレート
２１：  ピン孔
２２：  歯部
２２ａ：  内側フランク面
２２ｂ：  外側フランク面
２２Ａ：  歯先部端
２５：  溝
３：  連結ピン
Δ，Δ１，Δ２：  幅
【図１】
2007162823.tif 000003
【図２】
2007162823.tif 000004
【図３】
2007162823.tif 000005
【図４】
2007162823.tif 000006